(57)【特許請求の範囲】
【請求項１】
高圧線に引下線を接続するための引下線用コネクタに対して着脱自在に装着される引下線用コネクタ支持具であって、
前記引下線用コネクタは、前記高圧線を挟圧する挟圧部が対向面に形成された第一挟圧片及び第二挟圧片と、前記第一及び第二挟圧片の夫々に貫通形成されて互いに連通する第一及び第二挿通孔と、前記第二挟圧片側から前記第二及び第一挿通孔に跨がって軸部が挿通されると共に前記第二挟圧片に対して相対回転を禁止されたボルトと、前記第一挟圧片の前記第一挿通孔から露出した前記ボルトの軸部に螺着されるナットと、を有し、前記ボルトは、頭部近傍の軸部に貫通形成されて前記引下線を挿通する引下線挿通穴を備え、
前記引下線用コネクタ支持具は、
ベースと、
前記ナットを露出させる第一開口が形成されると共に前記第一挟圧片の外側面に添設される第一挟持部を有し、前記ベースによって支持された第一挟持部材と、
一端部に、前記引下線挿通穴から引き出された前記引下線及び前記ボルトの頭部を外部に露出させる第二開口が形成されると共に前記第二挟圧片の外側面に添設されることにより前記第一挟持部との間で前記第一挟圧片及び前記第二挟圧片を挟持する第二挟持部を、中間部に、前記ベースによって回動自在に支持された軸支部を、他端部に、前記軸支部を中心として前記第二挟持部を前記第一挟持部に対して開閉動作させる操作部を有した第二挟持部材と、
前記ベースに設けられて絶縁ヤットコにて把持可能な把持部と、を備え、
前記第一開口と前記第二開口は互いに交差する方向に伸びる切欠きであることを特徴とする引下線用コネクタ支持具。
【請求項２】
前記第一開口は、前記第一挟持部の一端縁を切り欠いた切欠きであり、且つ前記切欠きに沿って前記ナットが進退移動可能な開口幅を有することを特徴とする請求項１に記載の引下線用コネクタ支持具。
【請求項３】
前記第一挟持部材が前記ベースに固定されていることを特徴とする請求項１又は２に記載の引下線用コネクタ支持具。
【請求項４】
前記第一挟持部材が前記ベースに対して回動自在に軸支されていることを特徴とする請求項１又は２に記載の引下線用コネクタ支持具。
【発明の詳細な説明】
【技術分野】
【０００１】
本発明は、高圧線に引下線用コネクタを介して引下線を電気的・機械的に接続する際に、引下線用コネクタを支持することができる間接活線工法に好適な引下線用コネクタ支持具に関する。
【背景技術】
【０００２】
電柱間に架設される高圧線には、高圧線を分岐させて柱上変圧器に引き込む引下線が接続される。引下線は、高圧線に固定される引下線用コネクタを介して高圧線と電気的・機械的に固定される。
引下線用コネクタについて図１を参照して説明する。
引下線用コネクタ２００は、高圧線Ｗ１を挟圧する円弧状の挟圧部（挟圧面）２１１、２２１が互いの対向面に形成された第一挟圧片２１０及び第二挟圧片２２０とを備えている。また引下線用コネクタ２００は、第一挟圧片２１０及び第二挟圧片２２０の夫々に貫通形成されて互いに連通する第一挿通孔２１２及び第二挿通孔２２２と、第二挟圧片２２０側から第二挿通孔２２２及び第一挿通孔２１２に跨がって軸部２３１ｂが挿通されると共に第二挟圧片２２０に対する相対回転を禁止されたボルト２３１と、第一挟圧片２１０の第一挿通孔２１２から突出したボルト２３１の軸部２３１ｂに螺着されるナット２３３と、を備えている。また、ボルト２３１は、その頭部２３１ａ近傍の軸部２３１ｂに貫通形成されて引下線Ｗ２を挿通するための引下線挿通穴２３２を備えている。更に、引下線用コネクタ２００は、第一挟圧片２１０と第二挟圧片２２０とを一体化すると共に、２つの挟圧部２１１、２２１を互いに離間させる方向に弾性付勢する概略Ｃ字形状の線材からなるバネ部材２３４を備えている。
【０００３】
引下線用コネクタを高圧線に固定する際には、引下線用コネクタを支持するコネクタ支持具が用いられる。図５は、従来のコネクタ支持具の使用状況を示す図であり、図１の矢印Ｂ方向から観察した図に対応する。
従来のコネクタ支持具２４０は、コネクタ２００の下端部（バネ部材２３４側）を収容する概略円筒状の収容部２４１と、収容部２４１の側面に形成されてバネ部材２３４が挿入されるスリット２４２と、絶縁操作棒（不図示）の先端に着脱自在に装着するための菊座部２４３とを備えている。コネクタ支持具２４０は、予め絶縁操作棒の先端に固定された状態にて使用される。
従来は、引下線Ｗ２を保持したコネクタ２００を高圧線Ｗ１周りに１周させて引下線Ｗ２を高圧線Ｗ１に巻き付けた後、絶縁操作棒の先端に取り付けられたコネクタ支持具２４０をコネクタ２００に装着し、挟圧部２１１、２２１間に高圧線Ｗ１が位置するように絶縁操作棒を操作してコネクタ２００を移動させていた。
しかし、コネクタ２００は重心位置の関係から引下線Ｗ２周りに回転して横を向いた姿勢で安定してしまい、バネ部材２３４が下方に向くことは殆どない。そのため、作業員の一人が絶縁ヤットコを操作してバネ部材２３４が下方に位置するようにコネクタ２００の向きを調整し、もう一人の作業員が絶縁操作棒の先端に固定されたコネクタ支持具２４０を、コネクタ２００の真下からコネクタ２００に装着する必要があり、コネクタ２００にコネクタ支持具２４０を装着する作業に無駄に多くの時間を要していた。
【０００４】
コネクタを支持する支持具として特許文献１には、コネクタのボルトの頭部及びナットを嵌める受け部を一端部に有して対向配置された２枚の側板部と、側板部の他端部に配置されて２枚の側板部間の距離を一定に保持する架橋部材と、側板部の中間部に配置されて２枚の側板部の間隔を拡大又は縮小させるボルト及びナットを備えた支持具が記載されている。
【先行技術文献】
【特許文献】
【０００５】
【特許文献１】特開２０１１−１５４６５公報
【発明の概要】
【発明が解決しようとする課題】
【０００６】
しかし、特許文献１に記載の支持具をコネクタから取り外す場合は、間接ラチェットにてナットを緩める必要があり、取り外し作業が繁雑である。また、支持具を落下させないために、二人の作業員の共同作業が必要となる。
本発明は上述の事情に鑑みてなされたものであり、引下線用コネクタに着脱自在に装着され、引下線用コネクタを高圧線に対して電気的・機械的に固定する作業を行う際に引下線用コネクタを支持する引下線用コネクタ支持具であって、間接活線用の作業用具として好適であり、且つ、簡単な操作で引下線用コネクタからの取り外しを容易に行えるようにした新規な引下線用コネクタ支持具を提供することを目的とする。
【課題を解決するための手段】
【０００７】
上記の課題を解決するために、請求項１に記載の発明は、高圧線に引下線を接続するための引下線用コネクタに対して着脱自在に装着される引下線用コネクタ支持具であって、
前記引下線用コネクタは、前記高圧線を挟圧する挟圧部が対向面に形成された第一挟圧片及び第二挟圧片と、前記第一及び第二挟圧片の夫々に貫通形成されて互いに連通する第一及び第二挿通孔と、前記第二挟圧片側から前記第二及び第一挿通孔に跨がって軸部が挿通されると共に前記第二挟圧片に対して相対回転を禁止されたボルトと、前記第一挟圧片の前記第一挿通孔から露出した前記ボルトの軸部に螺着されるナットと、を有し、前記ボルトは、頭部近傍の軸部に貫通形成されて前記引下線を挿通する引下線挿通穴を備え、前記引下線用コネクタ支持具は、ベースと、前記ナットを露出させる第一開口が形成されると共に前記第一挟圧片の外側面に添設される第一挟持部を有し、前記ベースによって支持された第一挟持部材と、一端部に、前記引下線挿通穴から引き出された前記引下線及び前記ボルトの頭部を外部に露出させる第二開口が形成されると共に前記第二挟圧片の外側面に添設されることにより前記第一挟持部との間で前記第一挟圧片及び前記第二挟圧片を挟持する第二挟持部を、中間部に、前記ベースによって回動自在に支持された軸支部を、他端部に、前記軸支部を中心として前記第二挟持部を前記第一挟持部に対して開閉動作させる操作部を有した第二挟持部材と、前記ベースに設けられて絶縁ヤットコにて把持可能な把持部と、を備え、前記第一開口と前記第二開口は互いに交差する方向に伸びる切欠きであることを特徴とする。
【０００８】
請求項２に記載の発明は、前記第一開口は、前記第一挟持部の一端縁を切り欠いた切欠きであり、且つ前記切欠きに沿って前記ナットが進退移動可能な開口幅を有することを特徴とする。
【０００９】
請求項３に記載の発明は、前記第一挟持部材が前記ベースに固定されていることを特徴とする。
請求項４に記載の発明は、前記第一挟持部材が前記ベースに対して回動自在に軸支されていることを特徴とする。
【発明の効果】
【００１０】
本発明によれば、絶縁ヤットコにて把持するための把持部を備えたので、間接活線用の作業用具として好適である。また、引下線用コネクタ支持具の操作部を操作することで、第二挟持部材が回動し、第二挟持部材が第一挟持部材に対して開閉するので、引下線用コネクタからの取り外しが非常に容易である。
【図面の簡単な説明】
【００１１】
【図１】本発明の第一の実施形態に係る引下線用コネクタ支持具の使用状態を示す正面図である。
【図２】図１のＡ矢視図及びＢ矢視図である。
【図３】本発明の第二の実施形態に係る引下線用コネクタ支持具の使用状態を示す正面図である。
【図４】（ａ）〜（ｃ）は、第一挟持部と第二挟持部の変形例を示した側面図である。
【図５】従来のコネクタ支持具の使用状況を示す図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下、本発明の実施形態を詳細に説明する。
【００１３】
〔第一の実施形態〕
本発明の第一の実施形態に係る引下線用コネクタ支持具について、図１及び図２に基づいて説明する。図１は、本発明の第一の実施形態に係る引下線用コネクタ支持具の使用状態を示す正面図である。図２は、図１のＡ矢視図及びＢ矢視図である。
本発明の第一の実施形態に係る引下線用コネクタ支持具（以下、単に「支持具」という）は、コネクタの挟圧片の外側面に添設されて挟圧片を挟持する２つの挟持部のうちの一方を開閉するように構成して、支持具をコネクタに対して容易に着脱できるようにした点に特徴がある。
【００１４】
引下線用コネクタ支持具（支持具１）は、ベース１０と、第一挟圧片２１０の外側面に添設される第一挟持部２１を備えると共にベース１０によって支持された第一挟持部材２０と、一端部に、第二挟圧片２２０の外側面に添設されることにより第一挟持部２１との間で第一挟圧片２１０及び第二挟圧片２２０を挟持する第二挟持部３１を備え、中間部にベース１０によって回動自在に支持された軸支部３３を備え、他端部に軸支部３３を中心として第二挟持部３１を第一挟持部２１に対して開閉動作させる操作部３５を備えた第二挟持部材３０と、ベース１０に設けられて絶縁ヤットコにて把持可能な把持部５０と、を備えている。
ベース１０、第一挟持部材２０、第二挟持部材３０、及び把持部５０は、容易には変形しない程度の剛性を有した金属、樹脂等から構成される。
【００１５】
ベース１０は、第一挟持部材２０、第二挟持部材３０、及び把持部５０を一体化させる部材であり、ベース１０には第一挟持部材２０及び把持部５０が固定されている。ベース１０に対して第二挟持部材３０のみが回動動作する構成であり、支持具１の構成が簡略化されている。
ベース１０は概略平板状であり、ベース１０の一面１０ａ側には、第一挟持部材２０及び第二挟持部材３０の第二挟持部３１が一面１０ａと交差する方向に突出している。ベース１０の他面１０ｂ側には第二挟持部材３０の操作部３５及び、把持部５０が突出している。本実施形態におけるベース１０は、概略平板状であるが、その形状は特に限定されない。
【００１６】
第一挟持部材２０の第一挟持部２１は、ナット２３３を外部に露出させる第一開口２３を有する。コネクタ２００を高圧線Ｗ１に取り付ける際には、間接ラチェット等のレンチ類を用いてナット２３３をボルト２３１に締結させる必要があるから、ナット２３３は、支持具１をコネクタ２００に装着した状態で支持具１から露出している必要がある。従って、第一挟持部材２０の第一挟持部２１の厚さ（図１中左右方向の長さ）は、ナット２３３の軸方向長よりも短く（薄く）設定される。これにより、ナット２３３は第一開口２３から第一挟圧片２１０との非対向面側へ突出する。第一挟持部２１から露出したナット２３３に間接ラチェット等のレンチ類（不図示）を嵌合又は係合させることができ、ナット２３３をボルト２３１に締結することができる。
【００１７】
図２に示す第一開口２３は、第一挟持部２１の長手方向の一端縁２１ａを切り欠いた凹状の切欠きである。第一開口２３の開口幅ｔは、切欠きに沿ってナット２３３が進退移動可能な大きさに設定されている。このため、ナット２３３は第一挟持部２１に対して、第一開口２３に沿って図２中上下方向に移動可能である。図１のように第一挟持部材２０がベース１０に対して固定されていたとしても、第二挟持部材３０を第二挟持片２２０から離間させて支持具１を下方に移動させれば、支持具１を引下線用コネクタ２００から容易に取り外すことができる。
【００１８】
第二挟持部材３０の第二挟持部３１は、第一挟持部２１に対向して配置されており、第一挟持部２１と第二挟持部３１との対向面にて、コネクタ２００を挟持する。
第二挟持部材３０は、長手方向中間部に設けた軸支部３３において、ベース１０によって回動自在に軸支されており、第二挟持部３１は軸支部３３を中心として回動しつつ第一挟持部２１に対して接離移動する。
第二挟持部材３０の第二挟持部３１は、ボルト２３１の頭部２３１ａを外部に露出させる第二開口３７を有する。第二開口３７は、第二挟持部３１の短手方向の一端縁３１ｃを切り欠いた切欠きである。第二開口３７は、引下線挿通穴２３２から引き出された引下線Ｗ２及びボルト２３１の頭部２３１ａが第二挟持部３１の内側の面（第一挟持部２１との対向面）と干渉しないようにする。このようにすることで、第二挟持部３１の内側の面（第一挟持部２１との対向面）を第二挟圧片２２０の外側面から浮かないようにすることができ、コネクタ２００挟持した支持具１のコネクタ２００からの脱落やガタツキを防止する。なお、第二挟持部３１は回動により、第一挟持部２１に対して接近又は離間移動するので、第二開口３７の一端縁３１ｃ側の開口幅は第一開口２３とは異なり、必ずしもボルト２３１の頭部２３１ａが通過可能である必要はない。
また、第二開口３７を短手方向の一端縁３１ｃから形成したことにより、第二挟持部３１の長手方向一端部（上端部）は、ボルト２３１の頭部２３１ａに係止可能な係止部３９が形成されている。係止部３９をボルト２３１の頭部２３１ａに係止することにより、支持具１がコネクタ２００に吊り下げられる格好となるので、支持具１がコネクタ２００から脱落しにくくなる。
第二挟持部材３０の長手方向他端部には、第二挟持部材３０を回転操作するための操作部３５が形成されている。第二挟持部３１は、操作部３５を軸支部３３周りに回動させることにより、その回動操作に伴って、第一挟持部２１に対して矢印Ｃ方向に接離移動する。
絶縁ヤットコ２５０と接触する操作部３５の表面には、滑止部材３６が配置されている。滑止部材３６は、絶縁ヤットコ２５０との間で高い摩擦力を発生させる材料（例えばゴム等）を塗布するか、又は当該材料からなるシート状部材を貼付すること等により形成される。或いは、操作部３５の表面に複数の溝（又は凹凸）を形成して、これを滑止部材としてもよい。絶縁ヤットコ２５０にて操作部３５を操作したときに、絶縁ヤットコの滑動を防止して操作性を向上させる。
【００１９】
支持具１は、第二挟持部材３０を閉止方向（第一挟持部材２０に対して接近する方向）に常時弾性付勢する弾性付勢部材（不図示）を備えている。弾性付勢部材は、例えば軸支部３３に内蔵したトーションバネとすることができる。
把持部５０は、ベース１０に設けられている。把持部５０は、ベース１０の他面１０ｂ（第一挟持部材２０が形成された面とは反対の面）から、この面と交差する方向に突出形成されている。
絶縁ヤットコ２５０と接触する把持部５０の表面には滑止部材５１が配置されている。滑止部材５１は、絶縁ヤットコ２５０との間で高い摩擦力を発生させる材料（例えばゴム等）を塗布するか、又は当該材料からなるシート状部材を貼付すること等により形成される。或いは、操作部３５の表面に複数の溝を形成して、これを滑止部材としてもよい。絶縁ヤットコ２５０にて把持部５０を把持等したときに、絶縁ヤットコ２５０の滑動を防止して操作性を向上させる。
把持部５０のベース１０寄りの位置には、外方に突出したつば状のヤットコストッパ５３が設けられている。ヤットコストッパ５３は、容易には変形しない程度の剛性を有した金属、樹脂等から構成される。ヤットコストッパ５３は、絶縁ヤットコ２５０にて把持部５０を把持したとき、把持部５０に対する絶縁ヤットコ２５０の、図中上下方向における位置を安定させる。ヤットコストッパ５３は、把持部５０と一体形成されてもよいし、別体として構成された部品を後に一体化させたものでもよい。
【００２０】
第一挟持部２１と第二挟持部３１の面内の適所には、バネ部材２３４を外部に露出させて、各挟持部とバネ部材２３４との干渉を防止するスリット状のバネ部材露出穴２５、４１が貫通形成されている。なお、バネ部材２３４は、必ずしも外部に露出させる必要はない。例えば、各挟持部のコネクタ２００との対向面にバネ部材２３４を受け入れる凹所を形成して、各挟持部とバネ部材２３４との干渉を防止する構成としてもよい。
【００２１】
第一挟持部材２０の長手方向の他端部２１ｂには、第二挟持部３１との対向面から第二挟持部３１に向けてコネクタストッパ６０が突出形成されている。コネクタストッパ６０の上面は、コネクタ２００の下端が当接する当接面である。
ナット２３３をボルト２３１に締結する際に、間接ラチェットをボルト２３１の軸周りに回転させることから、コネクタ２００には一時的に押し下げる力が働く。このような力が加わったとき、コネクタストッパ６０がコネクタ２００の下端を支持することにより、コネクタ２００の姿勢を安定させて、ナット２３３の締結作業を容易に行えるようにする。
コネクタストッパ６０は、容易には変形しない程度の剛性を有した金属、樹脂等から構成される。コネクタストッパ６０は、第一挟持部材２０と一体成形されてもよいし、別体として構成された部品を後に一体化させたものでもよい。
なお、コネクタストッパ６０は、第二の実施形態に示すように、ベース１０の一面１０ａ（上面）から上方に突出させた構成としてもよい。
【００２２】
コネクタ支持具の使用方法について説明する。
コネクタ２００に、柱上変圧器から引き出された引下線Ｗ２を接続する。引下線挿通穴２３２内に引下線Ｗ２の先端部を挿通し、引下線挿通穴２３２から露出した引下線Ｗ２の先端部を折り返して、引下線Ｗ２が引下線挿通穴２３２から離脱しないようにする。
コネクタ２００に支持具１を装着する。操作部３５を操作して第二挟持部３１を第一挟持部２１から離間させ、第一挟持部２１と第二挟持部３１との間にコネクタ２００を挿入し、第一挟持部２１と第二挟持部３１とによって第一挟圧片２１０と第二挟圧片２２０を挟持した状態とする。このとき、第一開口２３からナット２３３を露出させ、第二開口３７からボルト２３１の頭部２３１ａ及び引下線Ｗ２を露出させる。なお、この段階で引下線Ｗ２は充電されていないため、この作業は素手で行ってよい。
続いて、絶縁ヤットコ２５０を用いて二人の作業員により引下線Ｗ２を高圧線Ｗ１に１回だけ巻き付ける（図５参照）。なお、高圧線Ｗ１は活線状態であるので、以降の作業は絶縁ヤットコ等を使用した間接活線工法により行う。引下線Ｗ２を高圧線Ｗ１に巻き付けた後、支持具１は重心のある把持部５０側が下方となるように引下線Ｗ２周りに回動してその姿勢が安定する。
一人の作業員が絶縁ヤットコ２５０にて把持部５０を把持し、挟圧部２１１、２２１間に高圧線Ｗ１が挿入されるようにコネクタ２００を移動させる。もう一人の作業員が間接ラチェットを用いてナット２３３をボルト２３１に締結し、挟圧部２１１、２２１にて高圧線Ｗ１を挟圧する。
間接ラチェットの使用時には、絶縁ヤットコ２５０をヤットコストッパ５３に当接させて支持具１を上方に押し上げておくようにすれば、コネクタ２００が高圧線Ｗ１から離間することはない。また、コネクタ２００に対して下向きの力が加わったとしても、コネクタ２００はコネクタストッパ６０よりも下方に移動しないため、その姿勢を安定させた状態にて締結作業を進めることができる。
最後に、把持部５０と操作部３５とを絶縁ヤットコ２５０にて同時に挟持することにより、第二挟持部３１をボルト２３１の頭部２３１ａから離間させる。そして、支持具１を下方に移動させれば、ナット２３３が第一開口２３に沿って移動し、支持具１をスムーズにコネクタ２００から取り外すことができる。
【００２３】
以上のように本実施形態によれば、絶縁ヤットコにて把持可能な把持部を備えたので、支持具が接続された引下線を高圧線に巻き付けた後であっても、支持具を容易に操作することができる。また、把持部と操作部とを絶縁ヤットコにて同時に挟持するという簡単な操作で、一方の挟持部が他方の挟持部に対して洗濯バサミ状に開閉するようにしたので、支持具の取り外しが容易であり、作業性が向上する。
【００２４】
〔第二の実施形態〕
本発明の第二の実施形態に係るコネクタ支持具について図３に基づいて説明する。図３は、本発明の第二の実施形態に係る引下線用コネクタ支持具の使用状態を示す正面図である。本実施形態に係るコネクタ支持具は、第一挟持部材を第二挟持部材と同様にベースによって回動自在に支持した点に特徴がある。以下、第一の実施形態と同一の構成には同一の符号を付してその説明を省略する。
第一挟持部材７０は、一端部に第一挟圧片２１０の外側面に添設されることにより第二挟持部３１との間で第一挟圧片２１０及び第二挟圧片２２０を挟持する第一挟持部２１を備え、中間部にベース１０によって回動自在に支持された第一軸支部７３を備え、他端部に第一軸支部７３を中心として第一挟持部２１を第二挟持部３１に対して開閉動作させる第一操作部７５を備えている。
第一挟持部材７０は、第二挟持部材３０と同様に可動する構成である。また、絶縁ヤットコ２５０と接触する第一操作部７５の表面には、滑止部材７６が配置されている。
コネクタストッパ６１は、ベース１０の一面１０ａ（上面）から上方に突出形成されており、コネクタストッパ６１の上面がコネクタ２００の下端と当接する当接面である。なお、コネクタストッパ６１は第一の実施形態と同様に、第一挟持部２１又は第二挟持部３１から、他方の挟持部に向けて突出形成したものであってもよい。
本実施形態に係る支持具の使用方法は第一の実施形態と同様であるため、その説明を省略する。
以上のように本実施形態によれば、第二挟持部材３０のみならず第一挟持部材２０も回動するので、第一挟持部材２０と第二挟持部材３０を大きく開くことができ、コネクタ２００に対して支持具１を着脱する操作が容易となる。
【００２５】
〔挟持部の変形実施形態〕
第一挟持部と第二挟持部の変形例について図４に基づいて説明する。図４（ａ）〜（ｃ）は、第一挟持部と第二挟持部の変形例を示した側面図である。
第一挟持部２１は、図２のＢ矢視図に示す形状の他にも、図２のＡ矢視図に示された第二挟持部３１と同様の形状とすることができる。
また、第一挟持部２１は図４（ａ）に示すように、第一挟持部２１の長手方向の一端縁２１ａを切り欠いた凹状の切欠きとしての第一開口２３と、スリット状のバネ部材露出穴２５とを連結、一体化して１つの切欠きを形成した概略Ｕ字形状とすることができる。或いは、第一挟持部２１は、図４（ｂ）に示すように、ナット２３３の一方の側部（図ではナット２３３の右側のみ）に沿って伸びる片腕形状とすることができる。或いは、図４（ｃ）に示すように、第一開口２３を第一挟持部２１の面内に貫通形成した穴としてよい。この場合、第一挟持部２１の長手方向一端部側には、ナット２３３に係止される係止部２７が形成される。また、図４（ｃ）に示す第一開口２３とバネ部材露出穴２５とを連結、一体化させてもよい。
【００２６】
第二挟持部３１は、図２のＡ矢視図に示す形状の他にも、図２のＢ矢視図に示された第一挟持部２１と同様の形状とすることができる。
また、第二挟持部３１は図４（ａ）に示すように、第二挟持部３１の長手方向の一端縁を切り欠いた凹状の切欠きとしての第二開口３７とバネ部材露出穴４１とを連通させた概略Ｕ字形状とすることができる。或いは、第二挟持部３１は、図４（ｂ）に示すように、ボルト２３１の一方の側部（図ではナット２３３の右側のみ）に沿って伸びる片腕形状とすることができる。或いは、図４（ｃ）に示すように、第二開口３７を第二挟持部３１の面内に貫通形成した穴としてよい。この場合、第二挟持部３１の長手方向一端部側には、ボルト２３１の頭部２３１ａに係止される係止部３９が形成される。また、図４（ｃ）に示す第二開口３７と、バネ部材露出穴４１とを連結、一体化させてもよい。
【００２７】
更に第二挟持部３１は、図４（ｃ）に示す第二開口３７の代わりに、第一挟持部２１との対向面にボルト２３１の頭部２３１ａ及び引下線Ｗ２の先端部を受け入れ可能な凹所を形成してもよい。この場合も、ボルト２３１の頭部２３１ａには凹所の上部が係止されることになるので、コネクタ２００に装着したときの支持具の脱落を防止できる。
何れの場合も、第二挟持部３１に関しては、引下線挿通穴２３２から引き出された引下線Ｗ２と干渉しないようにする必要がある。例えば、図２のＢ矢視図や図４（ａ）、（ｃ）に示す形状の挟持部を第二挟持部として採用する場合、引下線挿通穴２３２から引き出された引下線Ｗ２を受け入れる凹所を、第二挟圧片２２０との対向面に形成することが望ましい。
上記各構成は、第一挟持部と第二挟持部とで適宜組み合わせて実施することができるが、少なくとも、第一挟持部と第二挟持部の一方がボルト２３１の頭部２３１ａ又はナット２３３に係止可能な係止部を備えるようにして、コネクタ２００からの脱落を防止するように構成することが望ましい。
【００２８】
〔本発明の実施態様例と効果〕
（第一の実施態様）
引下線用コネクタ支持具１は、ベース１０と、第一挟圧片２１０の外側面に添設される第一挟持部２１を備えると共にベース１０によって支持された第一挟持部材２０と、一端部に、第二挟圧片２２０の外側面に添設されることにより第一挟持部２１との間で第一挟圧片２１０及び第二挟圧片２２０を挟持する第二挟持部３１を備え、中間部にベース１０によって回動自在に支持された軸支部３３を備え、他端部に軸支部３３を中心として第二挟持部３１を第一挟持部２１に対して開閉動作させる操作部３５を備えた第二挟持部材３０と、ベース１０に設けられて絶縁ヤットコにて把持可能な把持部５０と、を備えたことを特徴とする。
引下線用コネクタ支持具１は、絶縁ヤットコにて把持するための把持部５０を備えたので、間接活線用の作業用具として好適である。引下線用コネクタ支持具１の操作部３５を操作することで、第二挟持部材３０が回動し、第二挟持部材３０が第一挟持部材２０に対して洗濯バサミ状に開閉するので、引下線用コネクタからの取り外しが非常に容易である。また、第二挟持部材３０が洗濯バサミ状に開閉する構成なので、引下線用コネクタ支持具は容易に引下線用コネクタから取り外すことができる。
【００２９】
（第二の実施態様）
引下線用コネクタ２００は、第一挟圧片２１０及び第二挟圧片２２０の夫々に貫通形成されて互いに連通する第一挿通孔２１２及び第二挿通孔２２２と、第二挟圧片２２０側から第二挿通孔２２２及び第一挿通孔２１２に跨がって軸部２３１ｂが挿通されると共に第二挟圧片２２０に対して相対回転を禁止されたボルト２３１と、第一挟圧片２１０の第一挿通孔２１２から突出したボルト２３１の軸部２３１ｂに螺着されるナット２３３と、を備えている。
本態様において、引下線用コネクタ支持具１の第一挟持部２１は、ナット２３３を露出させる第一開口２３を有することを特徴とする。
第一開口２３は、第一挟持部２１の端縁を切り欠いた切欠き又は凹所（図２、図４（ａ））としてもよいし、第一挟持部２１の面内に形成された穴（図４（ｃ））としてもよい。第一開口２３からナット２３３が露出するので、ナット２３３に対して間接ラチェット等のレンチ類を嵌合又は係合させることができ、ナット２３３をボルト２３１に締結することができる。
【００３０】
（第三の実施態様）
本態様において、第一開口２３は、第一挟持部２１の一端縁２１ａを切り欠いた切欠きであり、且つ切欠きに沿ってナット２３３が進退移動可能な開口幅ｔを有することを特徴とする。
ナット２３３は第一挟持部２１に対して、第一開口２３に沿って図２中上下方向に移動可能である。図１のように第一挟持部材２０がベース１０に対して固定されていたとしても、第二挟持部材３０を第二挟持片２２０から離間させて支持具１を下方に移動させれば、支持具１を引下線用コネクタ２００から容易に取り外すことができる。
【００３１】
（第四の実施態様）
引下線用コネクタ２００は、第一挟圧片２１０及び第二挟圧片２２０の夫々に貫通形成されて互いに連通する第一挿通孔２１２及び第二挿通孔２２２と、第二挟圧片２２０側から第二挿通孔２２２及び第一挿通孔２１２に跨がって軸部２３１ｂが挿通されると共に第二挟圧片２２０に対して相対回転を禁止されたボルト２３１と、第一挟圧片２１０の第一挿通孔２１２から突出したボルト２３１の軸部２３１ｂに螺着されるナット２３３と、を備えている。ボルト２３１は、その頭部２３１ａ近傍の軸部２３１ｂに貫通形成されて引下線Ｗ２を挿通する引下線挿通穴２３２を備えている。
本態様において第二挟持部材３０は、引下線挿通穴２３２から引き出された引下線Ｗ２及びボルト２３１の頭部２３１ａを外部に露出させる第二開口３７を有することを特徴とする。
第二挟持部３１の内側の面（第一挟持部２１との対向面）を第二挟圧片２２０の外側面から浮かないようにすることができ、コネクタ２００挟持した支持具１のコネクタ２００からの脱落やガタツキを防止する。
【００３２】
（第五の実施態様）
本態様は、第一挟持部材２０がベース１０に固定されていることを特徴とする。
第二挟持部材３０のみがベース１０に対して回動するので、支持具１の構成を簡略化できる。
【００３３】
（第六の実施態様）
本態様は、第一挟持部材２０がベース１０に対して回動自在に軸支されていることを特徴とする。
第二挟持部材３０のみならず第一挟持部材２０も回動するので、第一挟持部材２０と第二挟持部材３０を大きく開くことができ、コネクタ２００に対して支持具１を着脱する操作が容易となる。
【符号の説明】
【００３４】
１…引下線用コネクタ支持具（支持具）、１０…ベース、１０ａ…一面、１０ｂ…他面、２０…第一挟持部材、２１…第一挟持部、２１ａ…一端縁、２１ｂ…他端部、２３…第一開口、２５…バネ部材露出穴、２７…係止部、３０…第二挟持部材、３１…第二挟持部、３１ｃ…一端縁、３３…軸支部、３５…操作部、３６…滑止部材、３７…第二開口、３９…係止部、４１…バネ部材露出穴、５０…把持部、５１…滑止部材、５３…ヤットコストッパ、６０、６１…コネクタストッパ、７０…第一挟持部材、７３…第一軸支部、７５…第一操作部、７６…滑止部材、２００…引下線用コネクタ（コネクタ）、２１０…第一挟圧片、２１１…挟圧部、２１２…第一挿通孔、２２０…第二挟圧片、２２１…挟圧部、２２２…第二挿通孔、２３１…ボルト、２３１ａ…頭部、２３１ｂ…軸部、２３２…引下線挿通穴、２３３…ナット、２３４…バネ部材、２４０…コネクタ支持具、２４１…収容部、２４２…スリット、２４３…菊座部、２５０…絶縁ヤットコ、Ｗ１…高圧線、Ｗ２…引下線
【図１】
0005964343.tif 000002
【図２】
0005964343.tif 000003
【図３】
0005964343.tif 000004
【図４】
0005964343.tif 000005
【図５】
0005964343.tif 000006